(57)【要約】【課題】撮影条件を迅速かつ的確に変更できるようなカメラの撮影条件設定装置を提供する【解決手段】撮影条件を設定するに際して、カメラ背面の表示部３にメニュー画面として項目画面（図４（Ａ））を表示させる。項目画面は、撮影条件の各項目に関する情報が項目単位（例えばｂ、ｃ）でマトリクス上に配列される画面である。デフォルトの項目は、ｂの「ＩＳＯ」である。この項目画面上で、ＸＹ方向操作部７の操作によって、まず設定希望項目（例えばフラッシュ）を選択させる（同図Ｂ）。設定希望項目選択後に、ダイヤル４の回動操作によってその条件を設定する（同図Ｃ）。【選択図】図４
2007110434.tif 000002
【特許請求の範囲】
【請求項１】
画面上での位置を指示する第１操作部と、
画面上で情報の切換えを指示する第２操作部と、
撮影条件に関する情報が表されるメニュー画面として、撮影条件の各項目に関する情報
が項目単位で配列される項目画面を表示させるメニュー表示部と、
メニュー表示部を制御するとともに、メニュー画面上での操作に応じて撮影条件を設定する条件設定部を備え、
条件設定部は、項目画面上で第１操作部の操作に応じて項目を選択し、選択された項目の条件を項目画面上で第２操作部の操作に応じて切換え表示させながら、第２操作部の操作に応じてこの項目の条件を選択して、撮影条件を設定する、
ことを特徴とするカメラの撮影条件設定装置。
【請求項２】
前記メニュー表示部は、さらにメニュー画面として、特定の項目の条件が一覧的に配列される条件画面を選択的に表示させ、
前記条件設定部は、項目画面上での第１操作部の操作による項目選択後に、その項目に関する条件画面を表示させ、第１操作部または第２操作部の操作に応じて条件を選択して、撮影条件を設定する、
ことを特徴とする請求項1に記載のカメラの撮影条件設定装置。
【請求項３】
特定の項目を指示する第３操作部を備え、
前記条件設定部は、第３操作部の指示に応じて、項目画面の表示を経ないで、直接的に特定の項目に関する条件画面の表示を行うようメニュー表示部を制御する
ことを特徴とする請求項２に記載のカメラの撮影条件設定装置。
【請求項４】
前記第１操作部は垂直方向及び水平方向を操作方向とする操作部である
ことを特徴とする請求項1または２いずれかに記載のカメラの撮影条件設定装置。
【請求項５】
前記第２操作部は回動式のダイヤル操作部である
ことを特徴とする請求項1または２いずれかに記載のカメラの撮影条件設定装置。
【請求項６】
請求項１乃至４いずれか１項に記載のカメラの撮影条件設定装置を搭載した
ことを特徴とするカメラ。
【請求項７】
画面上での位置を指示する第１操作部と画面上で情報の切換えを指示する第２操作部と有するカメラの撮影条件設定方法において、
撮影条件に関する情報が表されたメニュー画面として、撮影条件の各項目に関する情報が項目単位でマトリクス状に配列される項目画面を表示させ、
項目画面上で第１操作部の操作に応じて項目を選択し、
選択された項目の条件を項目画面上で第２操作部の操作に応じて切換え表示させながら、
第２操作部の操作に応じてこの項目の条件を選択して、撮影条件を設定する、
ことを特徴とするカメラの撮影条件設定方法。
【請求項８】
画面上での位置を指示する第１操作部と画面上で情報の切換えを指示する第２操作部と有するカメラの撮影条件設定方法をコンピュータに実行させるプログラムにおいて、
上記カメラの撮影条件設定方法は、
撮影条件に関する情報が表されたメニュー画面として、撮影条件の各項目に関する情報が項目単位でマトリクス状に配列される項目画面を表示させ、
項目画面上で第１操作部の操作に応じて項目を選択し、
選択された項目の条件を項目画面上で第２操作部の操作に応じて切換え表示させながら、
第２操作部の操作に応じてこの項目の条件を選択して、撮影条件を設定する、
ことを特徴とするプログラム。
【請求項９】
画面上での位置を指示する第１操作部と画面上で情報の切換えを指示する第２操作部と有するカメラの撮影条件設定方法をコンピュータに実行させるプログラムを記録するコンピュータ読み取り可能な記録媒体において、
上記カメラの撮影条件設定方法は、
撮影条件に関する情報が表されたメニュー画面として、撮影条件の各項目に関する情報が項目単位でマトリクス状に配列される項目画面を表示させ、
項目画面上で第１操作部の操作に応じて項目を選択し、
選択された項目の条件を項目画面上で第２操作部の操作に応じて切換え表示させながら、
第２操作部の操作に応じてこの項目の条件を選択して、撮影条件を設定する、
ことを特徴とするコンピュータ読み取り可能な記録媒体。
【発明の詳細な説明】
【技術分野】
【０００１】
この発明は、撮影条件を設定するための条件情報の表示制御およびその操作制御の技術に関するものである。
【背景技術】
【０００２】
撮影において撮影者の希望する画像が得られるためには、カメラの撮影条件が適切に設定されなければならない。デジタルカメラでは銀塩カメラに比べて調整可能な撮影パラメータも多い。従って設定が必要な撮影条件数も多くなるが、初心者は撮影条件が自動設定されるオートモードを利用して撮影を行うのが一般的である。一方上級者は、撮影条件がこのオートモードでは満足できないことが多く、狙いの画像を得るために、多数の条件の中から撮影環境等に合わせて、自ら各種条件を設定して撮影を行うことが多い。
【０００３】
上級者に愛用される高機能なタイプ例えば一眼レフカメラでは、多くの機能が撮影者の好みにあわせて設定可能なように備えられている。例えば、絞り・シャッタースピード・画質・連写・ストロボモード等様々である。
【０００４】
そして、このように各種機能が自由に設定できる高機能タイプのカメラでは、各機能の設定状態が一目でわかるように表示がなされることや、機能の設定変更に関する操作性の良さが要求される。
【０００５】
この撮影機能設定用の表示操作系として、例えば以下のような提案がなされている。
１）１つとして、各機能に対応する専用ボタンが設けられているカメラが提案されている（特許文献１）。このカメラには、画質モードやドライブモード等を変更させる機能を直接指定するボタンと指定された各機能の条件を変更するダイヤルが設けられている。機能を指定するボタンが専用ボタンになっているので、機能選択に間違いが少なくなる。
２）また、表示部がタッチパネルで構成されたカメラも提案されている（特許文献２）。タッチパネル上に撮影の各機能とその条件からなるメニュー画面を表示させ、撮影者は希望する条件を指で直接触ることで、設定や変更をすることができる。
３）上下左右操作ボタンを入力装置として使用するカメラも提案されている（特許文献３）。このカメラでは、モニター画像が表示されている画面の下部に複数の機能が項目として左右方向に連なるように配列表示させる。左右ボタンでその中で変更希望の項目にカーソルを合わせて選択されると、その項目の上部にその機能の各条件が上下方向に連なるように配列表示され、そのいずれかを上下方向ボタンで選択する。
４）メニュー画面上で項目のページをメニュータブで切り替え表示するカメラも提案されている（特許文献４）。このカメラでは、多数の項目をページ単位に整理し、各ページの上端にタブが付帯される。上端のタブが一覧されるようにメニュー画面に表示される。
【特許文献１】特開２００１−２５７９１６号公報
【特許文献２】特開２００３−２０９７１９号公報
【特許文献３】特開２００１−２１１３６８号公報
【特許文献４】特開２００５−１７５７１３号公報
【発明の開示】
【発明が解決しようとする課題】
【０００６】
１）特許文献１のような機能毎に専用ボタン化させたカメラでは、ボタンスペースの物理的制限から、多数の機能に対応することはできない。高級カメラ例えば一眼レフといえども小型化が望まれるので、専用ボタンによる対応には限界がある。
２）特許文献２のようなタッチパネルは、操作箇所が一目で判断できる点では優れているが、指で押すことによる応答のバラツキの問題や、大きな表示面積が必要になる点がある。
３）特許文献３のような上下左右操作ボタンでは、メニュー画面上でカーソルをひとつずつ移動させなければならないので、すばやく操作するのが容易でないという課題がある。
以上のように撮影機能設定用の表示操作系に関し、従来の提案では、多数の撮影条件の中から切換え項目の選択及びその条件変更を簡単かつ迅速に実現するのは容易でない。
【０００７】
本発明は上記課題に鑑みなされたものであって、撮影条件を迅速かつ的確に変更できるようなカメラの撮影条件設定装置を提供することをこの発明の目的とする。
【課題を解決するための手段】
【０００８】
１）上記目的を解決するために、本発明によるカメラの撮影条件設定装置は、画面上での位置を指示する第１操作部と、画面上で情報の切換えを指示する第２操作部と、撮影条件に関する情報が表されるメニュー画面として、撮影条件の各項目に関する情報が項目単位で配列される項目画面を表示させるメニュー表示部と、メニュー表示部を制御するとともに、メニュー画面上での操作に応じて撮影条件を設定する条件設定部を備え、
条件設定部は、項目画面上で第１操作部の操作に応じて項目を選択し、選択された項目の条件を項目画面上で第２操作部の操作に応じて切換え表示させながら、第２操作部の操作に応じてこの項目の条件を選択して、撮影条件を設定する、
ことを特徴とする。
ここで、第１操作部はＸＹ方向操作部７に、第２操作部はダイヤル４に、メニュー表示部はメニュー表示部１８に、条件設定部は条件設定部２１にそれぞれ実施例で相当する。
２）また、この発明は1）の発明に更に、前記メニュー表示部は、さらにメニュー画面として、特定の項目の条件が一覧的に配列される条件画面を選択的に表示させ、前記条件設定部は、項目画面上での第１操作部の操作による項目選択後に、その項目に関する条件画面を表示させ、第１操作部または第２操作部の操作に応じて条件を選択して、撮影条件を設定する、ことを特徴とする。
３）また、この発明は２）の発明に更に、特定の項目を指示する第３操作部を備え、
前記条件設定部は、第３操作部の指示に応じて、項目画面の表示を経ないで、直接的に特定の項目に関する条件画面の表示を行うようメニュー表示部を制御することを特徴とする。
ここで、第３操作部はダイレクト操作部に実施例で相当する。
【発明の効果】
【０００９】
本発明によれば、撮影条件を迅速かつ的確に変更できるようなカメラの撮影条件設定装置、この撮影条件設定装置を搭載するカメラ、カメラの撮影条件設定方法、プログラム、及び記録媒体等を提供することができる。
【発明を実施するための最良の形態】
【００１０】
以下、図示の実施形態によって本発明を説明する。
【実施例１】
【００１１】
以下図１〜図７の実施形態によって本発明を説明する。
【００１２】
図１は、本発明の一実施形態である撮影条件設定装置を搭載したカメラ本体１の背面を示す図である。このカメラはレンズ交換式のいわゆる一眼レフタイプのデジタルカメラである。カメラ本体１の上面のやや左寄り部分は上部に大きく突出するよう形成される。この突出部分の内部に撮影時の被写体像確認用である光学ファインダが内蔵され、背面側には光学ファインダの接眼部２が配置される。接眼部２の下には表示部３が備えられる。表示部３は例えばＬＣＤから構成される。表示部３には、再生モード時には撮影された画像の表示がされ、撮影時には各種撮影条件が表示される。
【００１３】
カメラ本体１には、各種操作部材が備えられる。主要なもののみ説明する。カメラ本体１の上面には、ダイヤル４、レリース５（不図示）が配置される。ダイヤル４は、カメラ本体１の上面の右端に、グリップした右手親指で回動しやすいような位置に配置されかつ回動させやすい形状に形成される。ダイヤル４は、往復回動可能で、撮影条件の設定変更等の操作部材である。レリース５は、カメラ本体１の上面で、ダイヤル４の裏側で見えない位置に配置される。撮影指示用の操作部材である。
【００１４】
カメラ本体１の背面には、Ａボタン６、ＸＹ方向操作部７、Ｂボタン８が配置される。ＸＹ方向操作部７は、４つの独立したボタンから構成され、全体としてリング状の外観を形成して、表示部３の右横の下に配置される。ＸＹ方向操作部７は、上方向を指示する上ボタン７Ｕ、上方向を指示する下ボタン７Ｄ、右方向を指示する右ボタン７Ｒ、左方向を指示する左ボタン７Ｌ、計４つの独立したボタンから構成される。つまりＸＹ方向操作部７は、垂直方向及び水平方向を操作方向とする操作部材になる。ＸＹ方向操作部７は、撮影時には、項目の選択や条件の選択用の操作部材に使用される。
【００１５】
さらに、ＸＹ方向操作部７は、条件画面（後述する）の表示を直接指示するダイレクト操作部にもなる。上ボタン７Ｕはホワイトバランス（ＷＢ）、下ボタン７Ｄは撮影感度（ＩＳＯ）、右ボタン７ＲはＡＦ、左ボタン７Ｌはフラッシュの各条件画面の表示を直接指示させる操作部材にもなる。また、再生時には、ＸＹ操作部７は画像のコマ送り用の操作部材になる。
【００１６】
なお、以下の説明で、ＸＹ方向操作部７は、画面上での位置を指示する操作部として使用されるときには第１操作部とも称し、直接指示するダイレクト操作部として使用されるときには第３操作部とも称す。ただし第３操作部には、ＸＹ方向操作部７以外の他のボタンも属する。ダイヤル４は、画面上で情報の切換えの指示に使用されるときには第２操作部とも呼ぶ。
【００１７】
Ａボタン６は、リング形状のＸＹ方向操作部７の中央のスペースに配置される。Ａボタンは、操作の確定や画面の切換え操作用の操作部材である。つぎにＢボタン８は表示部３の左横下、つまりカメラ本体１背面の左下隅に配置される。Ｂボタン８は、画面の切換え操作用の操作部材である。尚、以上の各操作部を包括して操作部２２と称す。
【００１８】
図２は、このカメラの電気的な内部構成を示すブロック図である。カメラ本体１には、着脱可能に撮影レンズ１１が備えられる。撮影レンズ１１の内部にはレンズの他にレンズ駆動用のモータやモータ制御用のＩＣ等が内蔵される。
【００１９】
カメラ本体１には、撮影レンズ１１を通過した被写体光を電気信号に変換する撮像素子１２、撮像信号を増幅しＡ／Ｄ処理して画像データを出力する撮像部１３、画像データを一時的に記憶し画像の変換処理のワークエリアとして使用されるＲＡＭ１４、画像データに色補正や圧縮処理を施す画像処理部１５、画像処理された画像データを保存記録する記録媒体１６等が備えられる。
【００２０】
また、カメラ本体１には前述した表示部３が備えられる。そして、撮影条件に関する情報が表されたメニュー画面を表示部３に表示させるメニュー表示部１８が備えられる。カメラ本体１にはカメラ本体１及び撮影レンズ１１を統括的に制御するＣＰＵ１９が備えられる。ＣＰＵ１９には制御プログラムを記憶するＲＯＭ２０が接続され、ＣＰＵ１９はこのプログラムを読み込んで各種制御処理を実行する。ＣＰＵ１９には、撮影者の指示を通知するための前述したダイヤル４等からなる操作部２２が接続され、ＣＰＵ１９は操作部２２の状態を検出して各種動作を切り替え、実行処理する。
【００２１】
ＲＯＭ２０にはさらにメニュー画面のグラフィックデータや撮影条件のデータが記憶される。またＣＰＵ１９には、ＣＰＵ１９によって実行される処理機能の１つとして、撮影条件を設定する条件設定部２１が設けられる。撮影条件とは、絞り、シャッター値、フラッシュ条件、画質、測光範囲等々である。条件設定部２１は、撮影時にRＯＭ２０から所定の撮影条件データを読み出して撮影レンズ１１等の撮影条件を設定する。また、条件設定部２１は、指示に応じてメニュー表示部を制御してメニュー画面の切換えさせたり、撮影条件の変更処理を行う。
【００２２】
図３から図５は、撮影モード時に表示部３に表示される各メニュー画面の例である。メニュー画面は撮影条件に関する情報が表される画面である。以下で説明する画面は、条件設定部１９の制御によりメニュー表示部がＲＯＭ２０に記憶された画面データに基づいて表示部３に表示する。
【００２３】
まず図３の上段に示す図（Ａ）は、撮影モード時に最初に表示される撮影待機モードでの画面である。撮影待機モードでは、撮影条件の各項目に関する情報が項目単位でマトリクス状に配列される画面が表示される。以下これを項目画面と称する。撮影待機モードでの項目画面は、現在設定されている条件を確認するための画面であり、この画面では撮影条件の変更は受付されない。
【００２４】
項目画面で各項目はアイコンの形式で表示される。一例を示すと、最上段の項目である項目ａは、シャッタースピードが１／２５０、絞り値がＦ５．６、露出補正が＋２．０に設定されていることを示す。また、中段左の項目ｂは撮影感度「ＩＳＯ」の項目で、現在「オート」に設定されていることを示す。また、下段左の項目ｃは「フラッシュ」の項目で、現在「オート」に設定されていることを示す。
【００２５】
図３の中段に示す図（Ｂ）は、撮影待機モードの第2の項目画面である。Ｂボタン８の操作により、同図（Ａ）の画面から第2の項目画面に切換わる。この第2の項目画面は、通常の項目画面よりも更に多くの撮影条件の項目が表示される画面である。多数の条件をまとめて確認したい場合に便利である。
【００２６】
図３の下段に示す図図（Ｃ）は、条件設定モードの画面である。撮影条件が変更可能な状態である条件設定モードで表示される画面で、項目画面と称す。Ａボタン６の操作により、図（Ａ）の撮影待機モードから、（Ｃ）の状態、画面に切換わる。表示されている項目は同じであるが、項目の１つが変更可能な項目として選択されている。ここでは、項目ｂの「ＩＳＯ」が変更可能な項目として選択され、それを示すために項目ｂのアイコンが白黒反転して表示される。以下この条件変更可能な項目を選択項目と称す。
【００２７】
図４は撮影条件が希望する条件に設定される様子を具体的に示す画面である。ここでは、撮影者がフラッシュをオートから赤目モードに変更する場合を例にする。図４（Ａ）は、図３（Ｃ）と同じ画面で、条件設定モードで最初に表示される画面である。選択項目としては、まず項目ｂ「ＩＳＯ」が選択されている。
【００２８】
撮影者は、この画面を見ながら、第１操作部であるＸＹ方向操作ボタン７を操作して、選択項目を項目ｂの「ＩＳＯ」から項目ｃの「フラッシュ」に変更する。項目ｃの「フラッシュ」が白黒反転表示される（図４（Ｂ））。次に、撮影者は第２操作部であるダイヤル４を回動させて、赤目モードのアイコンを表示させる。現在「フラッシュ」が選択されているので、ダイヤル４の回動に合わせて、フラッシュの条件を示すアイコンが順次切換わって表示される（図４（Ｃ））。以上により撮影条件が変更設定される。
【００２９】
図５は、特定の項目の条件が一覧的に配列される画面で条件を設定する例を示す図である。この画面を条件画面と称す。前述の図４の項目画面では、ダイヤル４の操作に応じて選択項目の条件が切換わるので、他の条件を見ながら条件を選ぶようなことはできない。そこで、一覧的に表示された条件を見ながら希望する条件を選択したい場合にも対応できるように、条件画面が用意されている。
【００３０】
図５（Ａ）は、図４（Ｂ）と同一の画面である。選択項目として項目ｃ「フラッシュ」が選択されている。この状態で、撮影者がＡボタン６を操作すると、同図（Ｂ）の条件画面に切換わる。条件画面として、ここでは、「フラッシュ」で選択可能な条件が全てアイコンで提示される。現在の条件としては、条件ｄ「オート」が選択されている。撮影者は、ダイヤル４またはＸＹ方向操作ボタン７を操作して、表示されている各条件の中から希望の条件を選択する。ここでは、「赤目のスローシンクロ」が選択されるものとする。同図（Ｃ）のように条件ｅ「赤目のスローシンクロ」が設定され、条件ｅのアイコンが反転表示される。なお、Ｂボタン８の操作により条件画面から項目画面へ戻る。
【００３１】
この条件画面への移行を、項目画面からＡボタン６の操作による切換わる場合を説明した。一方、撮影待機モードから、ダイレクトボタンにより直接条件画面に切り替えることができる。撮影待機モードでフラッシュ用のダイレクトボタン（第３操作部）である左ボタン７Ｌが操作されても、図５（Ｂ）の条件画面に切換わる。同様に、図示はしないが、ＩＳＯ用のダイレクトボタン（第３操作部）である下ボタン７Ｄが操作されると、「ＩＳＯ」の条件画面が表示される。このようにダイレクトボタン操作によって、対応する項目の条件が一覧表示される。
【００３２】
次に、図６、図７により、上述した画面表示の切換えや条件設定の処理の手順を説明する。図６、図７は、本実施形態における制御処理のフローチャートである。かかる処理は、主にＣＰＵ１９とＣＰＵ１９内の条件設定部２１およびメニュー表示部１８による制御処理により実行される。また以下で説明する画面は、メニュー表示部がＲＯＭ２０に記憶された画面データに基づいて表示部３に表示する。
【００３３】
図６は、条件設定処理のメインのフローチャートである。まず、カメラが撮影モードに設定されているかを判断する（ステップＳ１）。撮影モードでない、つまり再生モードに設定されているときは（ステップＳ１Ｎｏ）、再生モードの処理を実行する（ステップＳ２）。再生モード処理の説明は省略する。
【００３４】
撮影モードに設定されているときは（ステップＳ１Ｙｅｓ）、まず表示部３に図３（Ａ）で示したメニュー画面を表示させる（ステップＳ３）。撮影モードの最初は、撮影待機モードに設定される（ステップＳ４）。撮影待機モードは、撮影条件の確認はできるが、変更はできないモードである。撮影待機モードでの画面は、図３（Ａ）と同じである。
そして、ステップＳ５以降では、ダイレクトボタン、Bボタン８、Ａボタン６、レリース５の各操作に応じた処理を実行する。
【００３５】
まず、第３操作部であるダイレクトボタンに属するボタン（例えば、ＸＹ操作ボタン７）のいずれかが、操作されたかを判断する（ステップＳ５）。ダイレクトボタンに属するボタンが操作されたときには（ステップＳ５Ｙｅｓ）、図７のＰにジャンプして、撮影待機モードから項目画面を経由しないで条件画面に切換える。詳細は後述する。
次にＢボタン８の操作を判断する（ステップＳ６）。Ｂボタン８の操作があったとき（ステップＳ６Ｙｅｓ）には、例えば  図３（Ｂ）で示したような他の撮影待機モードの画面を表示させる。
【００３６】
さらにレリース５の操作を判断する（ステップＳ８）。レリース５の操作があったとき（ステップＳ８Ｙｅｓ）には、現在設定されている撮影条件に従って撮影を実行する（ステップＳ９）。撮影処理の詳細は、省略する。
【００３７】
続いて、Ａボタン６の操作を判断する（ステップＳ１０）。Ａボタン６の操作があったとき（ステップＳ１０Ｙｅｓ）には、条件設定モード（ステップＳ１１）に移行させる。ダイレクトボタン、Ａボタン６等いずれの操作もないとき（ステップＳ１０Ｎｏ）には、ステップＳ５に戻り、このループを巡回する。
【００３８】
図７が条件設定モードのサブルーチンを示すフローチャートである。ステップ１０でＡボタン操作がされると、条件設定モードに切換わる。
【００３９】
条件設定モードではまず図４（Ａ）で示したような項目画面を表示される。デフォルトの「ＩＳＯ」が選択項目に設定され、「ＩＳＯ」のアイコンを反転表示させる。
【００４０】
次に、ＸＹ方向操作ボタン７によって項目選択をさせる。ＸＹ方向操作ボタン７の操作を判断する（ステップＳ２１）。ＸＹ方向操作ボタン７の操作があったとき（ステップＳ２１Ｙｅｓ）には、操作方向と操作回数に応じて指示された項目を選択項目とする。選択項目はそのアイコンを白黒反転表示させて識別させる（ステップＳ２２）。例えば図４（Ｂ）は「フラッシュ」が選択項目とされたことを示している。
【００４１】
さらに、ダイヤル４による条件選択を判断する（ステップＳ２３）。ダイヤル４の操作があったとき（ステップＳ２３Ｙｅｓ）には、現在の選択項目（ここでは、「フラッシュ」）で条件を変更する。操作方向と操作回数に応じての各条件のアイコンを順番に表示させ、選択項目の条件を指示された条件に変更設定する（ステップＳ２４）。例えば「フラッシュ」が「オート」から「赤目」に条件が変更設定されると、図４（Ｃ）のような画面に切換わる。ダイヤル４の操作がないとき（ステップＳ２３Ｎｏ）には、ステップＳ２５に進む。
【００４２】
ステップＳ２５以降では、レリース５、Bボタン８、Ａボタン６、の各操作に応じた処理を実行する。まず、レリース５の操作を判断し（ステップＳ２５）、レリース５の操作がある（ステップＳ２５Ｙｅｓ）と、上記で設定された撮影条件で、撮影を実行する（ステップＳ２６）。この項目画面でも直ちに撮影することが可能である。
【００４３】
一方、Bボタン８の操作がある（ステップＳ２７Ｙｅｓ）と、この条件設定モードを抜けてメインフローの撮影待機モード（ステップＳ４）であるＱにジャンプする。また、Ａボタン６の操作を判断し（ステップＳ２８）、Ａボタン６の操作がある（ステップＳ２８Ｙｅｓ）と、Ｐにジャンプして項目画面から条件画面（ステップＳ３０）に画面を切換える。また、いずれの操作もなければこのフローの最初（ステップＳ２１）に戻り巡回する。
【００４４】
次に、図５（Ｂ）で示したような条件画面についての説明をする。ステップＳ３０では、現在選択されている条件が一覧的に表示させる条件画面を表示させる。ここでは現在「フラッシュ」が選択されているとして、図５（Ｂ）で示したような「フラッシュ」の条件画面を表示させる。
【００４５】
次に、撮影者のダイヤル４またはXY操作ボタン７の操作による条件の変更設定を実行する。現在選択されている条件が白黒反転表示で示され、変更された時点で、その条件に設定するものとする。
【００４６】
まずダイヤル４の操作を判断する（ステップＳ３１）。ダイヤル４の操作があったとき（ステップＳ３１Ｙｅｓ）には、その操作方向と操作回数に応じて、選択される条件を画面上で移動させる。そして選択された希望の条件に、撮影条件を設定する（ステップＳ３２）。例えば、図５（Ｂ）から図５（Ｃ）のように表示が切換わる。
【００４７】
ダイヤル４の操作がないとき（ステップＳ３１Ｎｏ）には、ステップＳ３２をジャンプして、XY操作ボタン７の右ボタン７Rまたは左ボタン７Lの操作を判断する（ステップS３３）。右ボタン７Rまたは左ボタン７Lの操作がされた時は、ダイヤル４の操作の場合と同様に操作指示に応じた条件を設定する（ステップS３４）。
【００４８】
ステップＳ３５以降では、レリース５、Bボタン８、Ａボタン６、の各操作に応じた処理を実行する。まず、レリース５の操作を判断する（ステップＳ３５）。レリース５の操作がある（ステップＳ３５Ｙｅｓ）と、上記で設定された条件で撮影を実行する（ステップＳ３６）。この条件画面でも直ちに撮影することが可能である。
【００４９】
次に、Ｂボタン８またはＡボタン６の操作があるとこの条件画面から他の画面にメニュー画面を切換える。まず、Ａボタン６の操作を判断し（ステップＳ３７）、Ａボタン６の操作がある（ステップＳ３７Ｙｅｓ）と図６のＱにジャンプして、撮影待機モード（ステップＳ４）に戻る。次にBボタン８の操作を判断し（ステップＳ３８）、Bボタン８の操作がある（ステップＳ３８Ｙｅｓ）と、条件画面から項目画面（ステップＳ２１）に戻る。いずれの操作もないときにはステップＳ３０に戻り巡回する。
【００５０】
以上説明した実施例１の効果は以下のようである。
１）撮影条件の設定に際し、撮影条件の各項目に関する情報が項目単位で配列される項目画面を表示させるので、他項目の条件を確認しながら一方の条件を選択することができる。
２）また、項目画面では、別々の操作部で項目選択と条件選択を行わせるので、すばやく条件設定ができる。
３）また、条件選択に往復回動可能なダイヤル操作を利用しているので、条件が一括的に表示されていなくても、素早くかつ簡単に操作できる。
４）またメニュー画面として、特定の項目の条件が一覧的に配列される条件画面も選択的に用意するので、各条件を一覧的に確認しながら選択することもでき、使い分けができる。
５）さらに、項目画面を経由しないで直接的に条件画面を表示させることもできる。操作に慣れた撮影者には、すばやい操作も提供できる。
【００５１】
なお、図６，７のフローチャートで示す一連の処理はハードウェアとソフトウェアの共同処理であるが、すべてをＣＰＵ１９によるソフト処理または全てをハードウェア処理にしても良い。そして、プログラムに従ったＣＰＵ１９の制御処理によって実現される場合には、上記プログラム自体が上述した実施の形態の機能を実現することになり、このプログラム自体が本発明を構成する。
【００５２】
そして、これらのプログラムは前述のROM以外の記録媒体の形式でも良く、カメラに着脱可能な記録媒体に格納されても良い。又、専用通信ネットワークやインターネットに接続されたサーバシステムに設けたハードディスクまたはＲＡＭ等の格納装置を記録媒体として使用し、通信網を介してプログラムをカメラに提供してもよい。或いは他のアプリケーションソフト等と共同して上述の実施の形態の機能が実現される場合にも、かかるプログラムが本発明の実施の態様に含まれることはいうまでもない。
【００５３】
また、上記実施形態ではカメラを単体としてのカメラで説明したが、カメラ付き携帯電話等のカメラ部に適用してもよい。
【００５４】
また、本発明は上記実施形態をそのままに限定されるものではなく、実施段階ではその要旨を逸脱しない範囲で構成要素を変形して具体化できる。また、上記実施形態に開示されている複数の構成要素の適宜な組合せにより、種々の発明を形成できる。例えば、実施形態にしめされる全構成要素から幾つかの構成要素を削除してもよい。さらに、異なる実施形態にわたる構成要素を適宜組合せてもよい。
【図面の簡単な説明】
【００５５】
【図１】図１は実施例１のカメラ本体１の背面外観を示す図。
【図２】図２は実施例１のカメラについて、電気的な内部構成を示すブロック図である。
【図３】図３は実施例１のカメラについて、撮影モード時に表示部３に表示される各メニュー画面で、撮影待機モードの画面と項目画面の例である。
【図４】図４は実施例１のメニュー画面の中の項目画面の具体例を示す。
【図５】図５は実施例１のメニュー画面の中の条件画面の具体例を示す。
【図６】図６は実施例１において、制御処理を説明するメインのフローチャートである。
【図７】図７は実施例１において、条件設定モードでの制御処理を説明するフローチャートである。
【符号の説明】
【００５６】
１…カメラ本体、２…接眼部、３…表示部、４…ダイヤル、５…レリース、６…Ａボタン、
７…ＸＹ操作部、７Ｕ…上ボタン、７Ｄ…下ボタン、７Ｒ…右ボタン、
７Ｌ…左ボタン、８…Ｂボタン、
１１…撮影レンズ、１２…撮像素子、１３…撮像部、１４…ＲＡＭ、
１５…画像処理部、１６…記録媒体、１８…メニュー表示部
１９…ＣＰＵ、２０…ＲＯＭ、２１…条件設定部、２２…操作部
ａ、ｂ、ｃ…項目、ｄ、ｅ…条件
【図１】
2007110434.tif 000003
【図２】
2007110434.tif 000004
【図３】
2007110434.tif 000005
【図４】
2007110434.tif 000006
【図５】
2007110434.tif 000007
【図６】
2007110434.tif 000008
【図７】
2007110434.tif 000009